(57)【要約】【課題】保持部材がジャンパの弾性変形によって浮くことを防止し組立を容易にした。【解決手段】ムーブメント１に、地板２と裏物押さえ３との間に、間欠回転する日星車４を備えた。裏物押さえ３には地板２方向に延びるアーム９を設け、アーム９には先端のガイド部近傍の両側に同一高さのフック１１、１２を設けた。地板２にはアーム９を移動させるガイド溝の両側に異なる高さの第一係合部１６と第二係合部１７を配設した。裏物押さえ３を押圧してアーム９のフック１１、１２を地板２の第一係合部１６に係止させ、日星車４の歯４ａの上にジャンパ部６を当接させ、更にジャンパ部６を弾性変形させて日星車４の歯に係合させた。裏物押さえ３を押圧してアーム９のフック１１、１２を地板２の第二係合部１７に係止させ、日星車４の歯４ａに係合したジャンパ部６に庇部７を当接して固定した。【選択図】図１
2014178276.tif 000002
【特許請求の範囲】
【請求項１】
地板と、
間欠的に回転する歯車と、
前記地板との間に前記歯車を保持する保持部材と、
該保持部材に設けられていて前記歯車に係合可能なジャンパと、
前記保持部材に設けられていて前記ジャンパの少なくとも一部を覆う庇部と、
前記地板と保持部材とを係止させる係止手段とを備え、
前記係止手段は、前記庇部と歯車との間から前記ジャンパを挿入可能なように前記地板と保持部材とを係止させる第一係止手段と、
前記歯車にジャンパを係合させた状態で前記地板と保持部材とを係止させる第二係止手段とを備えたことを特徴とする時計部品組立体。
【請求項２】
前記係止手段は、前記地板と保持部材の一方に設けられたフックと他方に設けられていて前記保持部材からの距離が異なる第一係合部及び第二係合部とを備え、
前記第一係止手段は前記フックと第一係合部が係止した構成であり、前記第二係止手段は前記フックと第二係合部が係止した構成である請求項１に記載された時計部品組立体。
【請求項３】
前記係止手段は、前記地板と保持部材の一方に設けられていて前記保持部材からの距離が異なる第一フック及び第二フックと他方に設けられた係合部とを備え、
前記第一係止手段は前記第一フックと係合部が係止した構成であり、前記第二係止手段は前記第二フックと係合部が係止した構成である請求項１に記載された時計部品組立体。
【請求項４】
前記係合部は、地板と保持部材の一方に設けられていて前記保持部材からの距離が異なる第一フック及び第二フックと他方に設けられていて前記保持部材からの距離が異なる第一係合部及び第二係合部とを備え、
前記第一係止手段は前記第一フックと第一係合部が係止した構成であり、前記第二係止手段は前記第二フックと第二係合部が係止した構成である請求項１に記載された時計部品組立体。
【請求項５】
前記フックは前記保持部材に形成されたアームに設けられ、該アームには前記地板に設けられた第一係合部と第二係合部の間に形成されたガイド溝を相対移動可能なガイド部が設けられている請求項２に記載された時計部品組立体。
【請求項６】
前記保持部材には第一アームと第二アームに分割されたアームが設けられ、前記第一アームには前記第一フックが設けられ、前記第二アームには前記第二フックが設けられた請求項３に記載された時計部品組立体。
【請求項７】
請求項１から６までのいずれか一つの項に記載の時計部品組立体を有するムーブメント。
【請求項８】
請求項１から６までのいずれか一つの項に記載の時計部品組立体を有する時計。
【発明の詳細な説明】
【技術分野】
【０００１】
本発明は、時計部品の基台となる地板と裏物押さえ等の保持部材との間にジャンパと歯車を係合させて保持する時計部品組立体、これを備えたムーブメント及び時計に関するものである。
【背景技術】
【０００２】
従来、特許文献１に記載された時計の仮固定構造では、地板上にステータやコイルや回路ブロック等を積層してその上で押さえ板を弾性変形させて突出部に係止するようにしている。
また、特許文献２に記載された時計ムーブメントにおける薄板部材の位置決め構造は、地板と日車押さえ板との間に日車を配設し、日車押さえ板の一方の位置決め孔に一方の位置決めピンを支持させ、他方の位置決め部の位置決め切欠きに他方の位置決めピンを設けた。そして、位置決め切欠に形成した他方の位置決めバネを弾性変形させて他方の位置決めピンを押圧して位置決めすることで、日車押さえ板は２つの位置決めピン間に圧力を加えて仮止めして、位置決めしている。
【０００３】
また、他の従来技術における時計のムーブメントとして、平面方向に庇と弾性変形可能なジャンパばねとを一体形成した裏物押さえを有する時計部品において、時計部品の基台となる地板と裏物押さえとの間に設けた歯車（日星車等）にばね性のある板状のジャンパを係合可能に保持し、ジャンパを庇で押さえるようにしていた。この場合、裏物押さえにはジャンパと庇とが一体に形成されており、ジャンパに初期撓みを与えて弾性変形によって日星車の歯間に係合させた状態で、庇でジャンパを押さえる構成をとっていた。その後、裏物押さえをねじで固定するようにしていた。
【先行技術文献】
【特許文献】
【０００４】
【特許文献１】特開２００１−２５５３８５号公報
【特許文献２】特開２０１０−２３０５１１号公報
【発明の概要】
【発明が解決しようとする課題】
【０００５】
しかしながら、上述したジャンパばねを一体形成した裏物押さえを地板に固定する際に、特許文献１及び２に開示された固定構造を適用した場合には、裏物押さえと地板に隙間がある状態で仮固定（換言すれば、裏物押さえと地板に隙間がある状態を維持した状態を保つこと）できなかったため、ジャンパを歯車に係合することができなかった。
また、上述した他の従来例においても、手動組立方法では、ジャンパを弾性変形させて日星車の歯に係合させた状態で、手でジャンパを抑え込んで裏物押さえをねじ締めすることができるが、自動による機械組立方法では手で押さえることができず、外側からくさびを差し込んでジャンパを庇の下側に押し込んで日星車の歯に係合させ、その後に裏物押さえをねじ締めするため、ネジ締めまでの間にジャンパの圧力で裏物押さえが浮いてしまい組立困難になることがあった。
【０００６】
本発明は、このような課題に鑑みて、容易にジャンパを歯車に係合することを可能とした時計部品組立体、これを備えたムーブメント、そして時計を提供することを目的とする。
【課題を解決するための手段】
【０００７】
本発明による時計部品組立体は、地板と、間欠的に回転する歯車と、地板との間に歯車を保持する保持部材と、保持部材に設けられていて歯車に係合可能なジャンパと、保持部材に設けられていてジャンパの少なくとも一部を覆う庇部と、地板と保持部材とを係止させる係止手段とを備え、係止手段は、庇部と歯車との間からジャンパを挿入可能なように地板と保持部材とを係止させる第一係止手段と、歯車にジャンパを係合させた状態で地板と保持部材とを係合させる第二係止手段とを備えたことを特徴とする。
本発明によれば、ジャンパと歯車を係合させるに際し、第一係合部によって庇部と歯車との間からジャンパを挿入可能な位置に地板と保持部材とを係止させ、更に歯車にジャンパを係合させた状態で、第二係合部によってジャンパと歯車の係合が外れないように地板と保持部材とを係止させる。そのため、機械組立等によってもジャンパと歯車を容易に係止させて保持できる。
【０００８】
また、係止手段は、地板と保持部材の一方に設けられたフックと他方に設けられていて保持部材からの距離が異なる第一係合部及び第二係合部とを備え、第一係止手段はフックと第一係合部が係止した構成であり、第二係止手段はフックと第二係合部が係止した構成であってもよい。
本発明によれば、フックと第一係合部が係止した状態で、庇部と歯車との間からジャンパを挿入可能なように地板と保持部材とを係止させ、フックと第二係合部が係合した状態で、ジャンパと歯車を係合させて両者の係合が外れないように地板と保持部材を係止させることができる。
【０００９】
また、係止手段は、地板と保持部材の一方に設けられていて保持部材からの距離が異なる第一フック及び第二フックと他方に設けられた係合部とを備え、第一係止手段は第一フックと係合部が係止した構成であり、第二係止手段は第二フックと係合部が係止した構成であってもよい。
本発明によれば、第一フックと係合部が係止した状態で、庇部と歯車との間からジャンパを挿入可能なように地板と保持部材とを係止させ、更に第二フックと係合部が係合した状態で、ジャンパと歯車を係合させて両者の係合が外れないように地板と保持部材を係止させることができる。
【００１０】
また、係合部は、地板と保持部材の一方に設けられた保持部材からの距離が異なる第一フック及び第二フックと他方に設けられていて保持部材からの距離が異なる第一係合部及び第二係合部とを備え、第一係止手段は第一フックと第一係合部が係止した構成であり、第二係止手段は第二フックと第二係合部が係止した構成であってもよい。
本発明によれば、第一フックと第一係合部が係止した状態で、庇部と歯車との間からジャンパを挿入可能なように地板と保持部材とを係止させ、第二フックと第二係合部が係合した状態で、ジャンパと歯車を係合させて両者の係合が外れないように地板と保持部材を係止させることができる。
【００１１】
また、フックは保持部材に形成されたアームに設けられ、該アームには前記地板に設けられた第一係合部と第二係合部の間に形成されたガイド溝を相対移動可能なガイド部が設けられていてもよい。
保持部材または地板の押圧によって、フックを設けたアームをガイド溝に沿って相対移動させて、フックを第一係合部に係止させ、更にフックを第二係合部に係合させることができる。
【００１２】
また、保持部材には第一アームと第二アームに分割されたアームが設けられ、第一アームには第一フックが設けられ、第二アームには第二フックが設けられていてもよい。
第一アームに設けた第一フックを係合部に係止させた状態で、庇部と歯車との間からジャンパを挿入可能なように地板と保持部材とを係合させ、更に第二アームに設けた第二フックを係合部に係止させた状態で、ジャンパと歯車を係合させて両者の係合が外れないように地板と保持部材を係止させることができる。
【００１３】
なお、本発明によるムーブメントは、上述したいずれかの時計部品組立体を有する。
【００１４】
また、本発明による時計は、上述したいずれかの時計部品組立体またはムーブメントを有する。
【発明の効果】
【００１５】
本発明による時計部品組立体、ムーブメント及び時計は、係合部の第一係合部と第二係合部によって地板と保持部材を段階的に接近させて係合することで、庇部と歯車との間からジャンパを挿入可能なように地板と保持部材とを係合させた段階と、ジャンパと歯車を係合させた状態でジャンパが外れないように地板と保持部材とを係合させた段階とを得て、ジャンパと歯車を係止させて固定できる。そのため、機械組立等によっても、地板と保持部材との間でジャンパと歯車を係合させる組立を容易且つ確実に行うことができる。
【図面の簡単な説明】
【００１６】
【図１】本発明の第一実施形態による時計ムーブメントの時計部品組立体の組立上がり状態を示す要部斜視図である。
【図２】図１に示す時計部品組立体の要部を示す平面図である。
【図３】図２に示すムーブメントの時計部品組立体の要部を示すＡ−Ａ線断面図である。
【図４】裏物押さえのフック部を有するアームと地板の第一及び第二係合部を示す組立前の斜視図である。
【図５】図４で示すアームと第一及び第二係合部の正面図である。
【図６】フック部が第一係合部に係合した状態を示す時計部品組立体の要部斜視図である。
【図７】図６に示す時計部品組立体の要部平面図である。
【図８】図７に示す時計部品組立体の要部を示すＢ−Ｂ線断面図である。
【図９】ジャンパ部を日星車に係合させた後のフック部が第一係合部に係合した状態を示す時計部品組立体の要部斜視図である。
【図１０】図９に示す時計部品組立体の要部平面図である。
【図１１】図１０に示す時計部品組立体の要部を示すＣ−Ｃ線断面図である。
【図１２】本発明の第二実施形態によるムーブメントの時計部品組立体におけるアームと係合部を示す組立前の正面図である。
【図１３】アームのフック部を第一係合部に係合させた状態の正面図である。
【図１４】図１３に示すフック部と第一係合部の係合状態を示すＤ−Ｄ線縦断面図である。
【図１５】アームのフック部を第二係合部に係止させた状態の正面図である。
【図１６】図１５におけるフック部と係合部とを示す縦断面図であり、（ａ）は一方のフック部が第一係合部に係合した状態のＥ−Ｅ線断面図、（ｂ）は他方のフック部が第二係合部に係合した状態のＦ−Ｆ線断面図である。
【図１７】本発明の第三実施形態によるムーブメントの時計部品組立体におけるアームと第一及び第二係合部を示す組立前の正面図である。
【図１８】第一フック部を第一係合部に係合させた状態の正面図である。
【図１９】図１８におけるフック部と第一係合部の係合状態を示すＧ−Ｇ線縦断面図である。
【図２０】第二フック部を第二係合部に係合させた状態の正面図である。
【図２１】図２０における第二フック部と第二係合部の係合状態を示すＨ−Ｈ線縦断面図である。
【図２２】本発明の第四実施形態によるムーブメントの時計部品組立体におけるフック部と係合部を示す平面図である。
【図２３】図２２における時計部品組立体の要部を示すＩ−Ｉ線断面図である。
【図２４】裏物押さえのアームとフック部を示す要部斜視図である。
【図２５】フック部と第一係合部との係合状態を示す平面図である。
【図２６】図２５におけるフック部と第一係合部との係合状態を示すＪ−Ｊ線断面図である。
【図２７】フック部を第二係合部に係止させた状態を示す平面図である。
【図２８】図２７におけるフック部と第二係合部との係合状態を示すＫ−Ｋ線断面図である。
【発明を実施するための形態】
【００１７】
次に、本発明の実施形態による時計部品組立体、これを備えたムーブメント及び時計を添付図面に基づいて説明する。
図１から図１１には、本発明の第一実施形態によるムーブメント１の要部が開示されている。図１及び図２に示すムーブメント１において、各構成部品が組み付けられる地板２はムーブメント１を構成する輪列等を組み込むベース部材である。この地板２と文字盤の裏側に位置する裏物押さえ３（本発明の保持部材の一例）との間には、１日所定角度回転して日を表示する日星車４（本発明の歯車の一例）が配設されている。
【００１８】
裏物押さえ３に形成された孔部３ａには、日星車４の歯４ａに係合可能なジャンパ部６（本発明のジャンパの一例）が一体形成されている。そして、ジャンパ部６は、孔部３ａの縁部（基部）から線状または棒状に延びていて弾性変形可能とされており、この基部から地板２に近接する方向に曲げられている。さらに、ジャンパ部６の先端角部６ａは、地板２に近接する方向に屈曲され、いわゆるスプーン状に形成されている。これにより、先端角部６ａは、庇部７に対して、地板２の厚さ方向に背離する位置に形成される（先端角部６ａは、庇部７の下方に位置する）。図３に示すように、ジャンパ部６は日星車４よりも厚みが小さいため、日星車４の歯４ａ間にジャンパ部６の先端角部６ａを確実に嵌合できるように、ジャンパ部６には地板２側に突出する屈曲部６ｂが形成されている。
また、ジャンパ部６には日星車４の歯４ａの方向に傾斜するように初期撓みを持たせており、常態においてジャンパ部６は日星車４の歯４ａに一部載置された位置に設けられている（図８参照）。更にジャンパ部６の近傍にはジャンパ部６を押さえつけるための庇部７が孔部３ａ内に突出して一体形成されている。
【００１９】
更に、図１、図４及び図５において、裏物押さえ３の一端部には地板２方向に延びるアーム９が形成され、その先端部にはアーム９の延長上に延びるガイド部１０とアーム９の両側に延びるフック部１１、１２とが形成されている。
一方、地板２には、図３に示すように、日星車４に当接する位置にジャンパ部６を支持するための受けプレート１４が形成され、更に裏物押さえ３に当接して変位を規制する当接ピン１５が設けられている。地板２において当接ピン１５と反対側の面には電池１３が収納されている。
【００２０】
また、図４及び図５において、地板２にはアーム９の長手方向に沿ってガイド溝１８が形成されており、このガイド溝１８の両側にはアーム９のフック部１１、１２に係合可能な第一係合部１６と第二係合部１７が高さの異なる位置（地板２の径方向（平面方向）を基準に、地板２の厚み方向に対して、異なる高さ）にそれぞれ設けられている。
また、ガイド溝１８の両側に位置する第一係合部１６、１６は裏物押さえ３側にテーパ面１６ａ，１６ａが形成される。テーパ面１６ａ，１６ａは、地板２の径方向外側へ突出する方向に、徐々に拡径するように形成された斜面である。
そして、裏物押さえ３を押圧してアーム９がガイド溝１８に沿って第一係合部１６方向に相対移動する際、各フック部１１，１２がテーパ面１６ａ，１６ａに沿って、地板２の径方向外側へ、弾性変形しながら摺動することになる。図３に示すように、第一係合部１６は第二係合部１７よりも外側に突出する位置に形成されている。
また、第二係合部１７は、第一係合部１６よりも、地板２の径方向を基準に、地板２の中心方向に近接した位置に形成される。換言すれば、第二係合部１７は、地板２の径方向を基準に、縮径する方向に形成されている。
この様に形成されることにより、第一係合部１６と第二係合部１７によって、段差が形成されるようになっている。換言すれば、第一係合部１６と第二係合部１７は、裏物押さえ３側を向いた断面略矢印状に形成されている。
【００２１】
第一係合部１６は第二係合部１７より裏物押さえ３に近接した位置にある。そして、ガイド溝１８の両側に設けた第一係合部１６、１６にアーム９のフック部１１，１２が係合した状態で裏物押さえ３のジャンパ部６が日星車４の歯４ａに当接する位置に保持され、しかも庇部７と日星車４との間にジャンパ部６が移動可能な間隙が形成されている（図８参照）。また、第二係合部１７、１７にフック部１１，１２が係合した状態では裏物押さえ３のジャンパ部６を弾性変形させて日星車４の歯４ａに嵌合させてジャンパ部６を庇部７で押圧して保持可能とされている（図３参照）。
なお、アーム９のフック部１１，１２と第一係合部１６、１６は本発明の第一係止手段を、アーム９のフック部１１，１２と第二係合部１７、１７は第二係止手段の一例をそれぞれ示している。また、フック部１１，１２は、本発明の第一係合部及び第二係合部の一例でもある。
【００２２】
本第一実施形態によるムーブメント１は上述の構成を備えており、次に機械組立による組立方法を図１〜図１１に沿って説明する。
まず、裏物押さえ３は日星車４を挟んで地板２に被せており、初期段階でジャンパ部６は上述したように全体が地板２の方向へ曲げられて形成されているため、裏物押さえ３の庇部７より下側に保持されている。この段階でアーム９は図４，５に示すようにフック部１１，１２が地板２の第一係合部１６より裏物押さえ３側に位置している。
そして、図６及び図７において、裏物押さえ３を地板２側に押し込んで、アーム９のガイド部１０を地板２のガイド溝１８に沿って相対下降させ、図８及び図９に示すように、フック部１１，１２をテーパ面１６ａに沿って弾性変形させながら摺動させて乗り越えさせ、第一係合部１６、１６に係止させる。
この場合、弾性変形された各フック部１１，１２は、弾性変形の反作用として、地板２の径方向内側へ戻される力が働く。従って、各フック部１１，１２は、第一係合部１６、１６に係止されるのである。以下、各フック部１１，１２が第一係合部１６、１６に係止された状態を、仮固定と称する。
【００２３】
この状態を第一段階として、裏物押さえ３は仮固定され、図６乃至図８に示すように、ジャンパ部６は日星車４の歯４ａに当接されている。そして、図７及び図９に示すように、ジャンパ部６を日星車４の歯４ａの上から外し、裏物押さえ３の径方向外側へ撓ませて弾性変形させ、図９乃至図１１に示すように、ジャンパ部６を庇部７の下部に潜り込ませてジャンパ部６の先端角部６ａを日星車４の歯４ａに噛合させる。
なお、ジャンパ部６の先端角部６ａは、地板２に近接する方向に屈曲されているため、地板２の厚さ方向において、先端角部６ａと歯４ａは、相互に嵌合しやすい高さに設定されることとなる。従って、この場合には、先端角部６ａが歯４ａをスリップすることなく、嵌合させることができる。
【００２４】
次に、第二段階として、裏物押さえ３を更に地板２側に押圧し、アーム９のフック部１１，１２を第一係合部１６，１６から更に押し込んで第二係合部１７，１７に係止させる。すると、図１乃至図３に示すように、裏物押さえ３は地板２の当接ピン１５に当接して位置決めされ、庇部７はジャンパ部６に当接する。ジャンパ部６は下面側の屈曲部６ｂが地板２に設けた受けプレート１４に当接し、上面側は庇部７に当接して、弾性変形したジャンパ部６の先端角部６ａを日星車４の歯４ａに係合した状態に固定保持する。
第二係合部１７は、地板２の径方向外側へ突出する方向に形成されている。従って、フック部１１，１２が第二係合部１７，１７に係止した状態では、第二係合部１７，１７によって、フック部１１，１２には、地板２の厚み方向へ引っ張られる方向へ力が働き、アーム９は、地板２の厚み方向へ弾性変形することとなる。
すると、各フック部１１，１２は、上述した引っ張られる力の反作用として、地板２の厚み方向へ戻される力が働く。従って、各フック部１１，１２は、第二係合部１７，１７に係止されるのである。
この状態で、裏物押さえ３はアーム９のフック部１１，１２が地板２の第二係合部１７に係合状態に保持されるため、庇部７にジャンパ部６の弾性が付与されていても弾性変形しない。その後、裏物押さえ３をねじ締め固定することができる。
【００２５】
上述のように本第一実施形態によるムーブメント１によれば、機械組立において、アーム９のフック部１１，１２を地板２の第一及び第二係合部１６，１７に段階的に係止させて、ジャンパ部６を日星車４の歯４ａに係合させて更に庇部７によってジャンパ部６を押圧保持できるため、手動組立でなくても、確実且つ容易に組立できる。
そのため、ジャンパ部６を日星車４の歯４ａに係合させた状態で裏物押さえ３をねじ締めするまでに裏物押さえ３が弾性で浮くことを防止できる。
【００２６】
なお、本発明によるムーブメント１は上述の実施形態に限定されるものではなく、その要旨を逸脱しない範囲で種々の変更や置換等が可能である。次に本発明の他の実施形態について上述した実施形態と同一または同様な部品や部分には同一の符号を用いて添付図面により説明する。
【００２７】
次に、図１２乃至図１６は本発明の第二実施形態によるムーブメント１Ａを示すものである。
本第二実施形態によるムーブメント１Ａは、図１２に示すように、地板２に設けた係合部２１はガイド溝１８の両側に同一高さ（地板２の径方向を基準に、地板２の厚み方向に対して、同一の高さ）に形成されている。これに対し、アーム２２は、第一アーム２３と第二アーム２４とに二分割して形成され、第一アーム２３には先端のガイド部２３ａと第一フック部２５（本発明の第一係止手段の一例）が形成され、第二アーム２４には先端のガイド部２４ａと第二フック部２６（本発明の第二係止手段の一例）が形成されている。
第一フック部２５と第二フック部２６はその長手方向に位置がずれており、第一フック部２５は裏物押さえ３からの距離が比較的長い第一段目とされ、第二フック部２６は裏物押さえ２３からの距離が比較的短い第二段目とされている。
【００２８】
そのため、本第二実施形態によれば、図１３及び図１４に示す第一段階において、裏物押さえ３を地板２側に押圧して第一及び第二アーム２３，２４をガイド溝１８に沿って相対移動させ、第一アーム２３の第一フック部２５を一方の係合部２１に係止させる。なお、第二アーム２４の第二フック部２６は他方の係合部２１に係止されていない。また、最初に第一アーム２３を押し下げて第一フック部２５を一方の係合部２１に係止させる際、第二アーム２４が他方の係合部２１と干渉しないよう外側に初期撓みを持たせておくことが好ましい。
この段階で、第一実施形態と同様に、裏物押さえ３におけるジャンパ部６は日星車４の歯４ａの上に当接させられており、次に、ジャンパ部６を裏物押さえ３の径方向外側へ撓ませて日星車４の歯４ａの上から外し、ジャンパ部６の先端角部６ａを日星車４の歯４ａに係合させる。
【００２９】
次に、図１５及び図１６に示す第二段階において、裏物押さえ３を更に地板２側に押圧すると、裏物押さえ３が地板２の当接ピン１５に載置され、第一アーム２３は第一フック部２５が一方の係合部２１から外れ、第二アーム２４の第二フック部２６が他方の係合部２１に押し込まれて係止させられる。
この段階で、第一実施形態と同様に、裏物押さえ３は地板２の当接ピン１５に当接して位置決めされ、庇部７はジャンパ部６に当接して弾性変形したジャンパ部６を日星車４の歯４ａに係止した状態に固定保持する。その後、裏物押さえ３をねじ締め固定することができる。
【００３０】
上述のように本第二実施形態によれば、地板２に設けた一対の係合部２１を同一高さに形成し、アームを第一及び第二アーム２３、２４で二分割して第一フック部２５と第二フック部２６とで二段で形成したので、第一実施形態と比較して係合部２１の突出量を小さくできる。
【００３１】
なお、第二実施形態によるムーブメント１Ａにおいて、アームを第一アーム２３と第二アーム２４とで二分割して構成したが、一体のアームとして形成し、アームの長さ方向の異なる位置に第一フック部２５と第二フック部２６を形成してもよい。
【００３２】
次に本発明の第三実施形態によるムーブメント１Ｂを図１７乃至図２１により説明する。
本第三実施形態によるムーブメント１Ｂは、図１７に示すように、地板２に設けた第一係合部２８はガイド溝１８内に設けられており、ガイド溝１８の両側に第二係合部２９がそれぞれ形成されている。第一係合部２８は第二係合部２９よりわずかに裏物押さえ３からの距離が大きく設定されている。
これに対し、アーム３０は、二つの分割された脚部３０ａ，３０ａの先端部（図１７において下端部）が連結されて第一フック部３１を形成し、脚部３０ａ，３０ａには裏物押さえ３からの距離が第一フック部３１よりも短い第二フック部３２がそれぞれ形成されている。なお、第一係合部２８と第二係合部２９の距離の差は、第一フック部３１と第二フック部３２の距離の差より小さく設定されている。
【００３３】
そのため、本第三実施形態によれば、図１８及び図１９に示す第一段階において、裏物押さえ３を地板２側に押圧してアーム３０をガイド溝１８に沿って相対移動させ、アーム３０の第一フック部３１をガイド溝１８内の第一係合部２８に係止させる。なお、第二フック部３２は第二係合部２９に係止されていない。
この第一段階で、第一実施形態と同様にジャンパ部６は日星車４の歯４ａの上に当接させられており、次にジャンパ部６を裏物押さえ３の径方向外側へ撓ませ弾性変形させて日星車４の歯４ａの上から外し、ジャンパ部６の先端角部６ａを日星車４の歯４ａに係合させる。
【００３４】
次に、図２０及び図２１に示す第二段階において、裏物押さえ３を更に地板２側に押圧すると、裏物押さえ３が地板２の当接ピン１５に載置され、アーム３０は第一フック部３１が第一係合部２８から外れ、アーム３０の両側の第二フック部３２がガイド溝１８の両側の第二係合部２９にそれぞれ係合させられる。
この段階で、第一実施形態と同様に、裏物押さえ３の庇部７はジャンパ部６に当接して弾性変形したジャンパ部６を日星車４の歯４ａに係止した状態に固定保持する。その後、裏物押さえ３をねじ締め固定することができる。
本第三実施形態においても、第一及び第二係合部２８，２９がガイド溝１８とその両側にそれぞれ別個に設けられているため小さく且つ薄く形成できることになり、小型化できる。
【００３５】
なお、第三実施形態によるムーブメント１Ｂにおいて、第一係止手段と第二係止手段として、アーム３０の第一フック部３１と第二フック部３２、第一係合部２８と第二係合部２９を設けたが、変形例として、第一及び第二係合部２８，２９は高さの差が小さいので同一高さに設定して係合部としてもよい。この場合には、第一フック部３１と第二フック部３２を選択的にいずれかの第一、第二係合部２８，２９に係合させることで地板２と裏物押さえ３との二段階の距離設定を行う。
【００３６】
次に本発明の第四実施形態によるムーブメント１Ｃを図２２乃至図２８により説明する。
本第四実施形態によるムーブメント１Ｃは、図２２〜図２４に示すように、地板２の端部に例えば略円柱状の係合部材３４が裏物押さえ３の径方向外側に突出して形成されており、係合部材３４には第一係合部３５と第二係合部３６が例えば階段状に形成されている。
【００３７】
そして、日星車４を挟んで地板２に被せられる裏物押さえ３には係合部材３４を挿通させるための長円状の孔部３７が形成されている。孔部３７は外側の周縁部が小幅で線状に延びて弾性を有するバネ部３９によって仕切られており、このバネ部３９の中央には下方に垂下するアーム４０が形成されている。アーム４０と交差するバネ部３９の内側縁部には係合部材３４の第一係合部３５及び第二係合部３６に係止させるためのフック部４２が形成されている。
また、地板２には、アーム４０の進退をガイドするガイド溝４１が形成されている。
そして、バネ部３９を弾性変形させることでその中央のアーム４０を上下方向に変位させることができ、裏物押さえ３の押圧位置に応じてアーム４０の上端のフック部４２を係合部材３４の第一係合部３５と第二係合部３６のいずれかに選択的に係止できるようになっている。
【００３８】
そのため、本第四実施形態によるムーブメント１Ｃによれば、図２５及び図２６に示す第一段階において、裏物押さえ３を地板２側に押圧すると共にバネ部３９を弾性変形させながらアーム４０をガイド溝４１に沿って移動させ、アーム４０のフック部４２を第一係合部３５に係止させる。
この段階で、第一実施形態と同様にジャンパ部６は日星車４の歯４ａの上に当接させられており、更にジャンパ部６を押動して弾性変形させて日星車４の歯４ａの上から外し、庇部７との隙間からジャンパ部６を移動させて先端角部６ａを日星車４の歯４ａ間に係止させる。
【００３９】
次に、図２７及び図２８に示す第二段階において、裏物押さえ３を更に地板２側に押圧すると共に、バネ部３９を弾性変形させながらアーム４０を移動させてフック部４２を第一係合部３５から外し、第二係合部３６に係止させる。
この段階で、第一実施形態と同様に、裏物押さえ３の庇部７はジャンパ部６に当接して弾性変形したジャンパ部６を日星車４の歯４ａ間に係合した状態に固定保持する。その後、裏物押さえ３をねじ締め固定することができる。
【００４０】
上述のように、本第四実施形態においては、アーム４０に設けたフック部４２が両側のバネ部３９で略下方に引っ張られて第一係合部３５と第二係合部３６のいずれかに係止できるため、高さ方向の占有スペースを小さくできて薄型化できる。
【００４１】
なお、上述した各実施形態では、庇部７とジャンパ部６を裏物押さえ３である保持部材に一体形成したが、必ずしも一体形成である必要はなく、別部品として形成してねじ等で裏物押さえ３に連結固定するようにしてもよい。
また、上述した各実施形態では裏物押さえ３にアーム９，３０，４０等を取り付け、地板２に係合部材３４、または第一及び第二係合部１６、２８、３５、１７、２９、３６等を設けたが、これとは逆に、地板２にアーム９，３０，４０等を設け、裏物押さえ３に係合部材３４、または第一及び第二係合部１６、２８、３５、１７、２９、３６等を設けてもよい。
なお、本発明において、裏物押さえ３は保持部材に含まれ、日星車４は歯車に含まれる。
【符号の説明】
【００４２】
１，１Ａ、１Ｂ，１Ｃ  ムーブメント
２  地板
３  裏物押さえ
４  日星車
６  ジャンパ部
７  庇部
９、３０、４０  アーム
１０、２３ａ、２４ａ  ガイド部
１１、１２、４２  フック部
１６、２８、３５  第一係合部
１７、２９、３６  第二係合部
１８、４１  ガイド溝
２３  第一アーム
２４  第二アーム
２５、３１  第一フック部
２６、３２  第二フック部
３４  係合部材
３７  孔部
３９  バネ部
【図１】
2014178276.tif 000003
【図２】
2014178276.tif 000004
【図３】
2014178276.tif 000005
【図４】
2014178276.tif 000006
【図５】
2014178276.tif 000007
【図６】
2014178276.tif 000008
【図７】
2014178276.tif 000009
【図８】
2014178276.tif 000010
【図９】
2014178276.tif 000011
【図１０】
2014178276.tif 000012
【図１１】
2014178276.tif 000013
【図１２】
2014178276.tif 000014
【図１３】
2014178276.tif 000015
【図１４】
2014178276.tif 000016
【図１５】
2014178276.tif 000017
【図１６】
2014178276.tif 000018
【図１７】
2014178276.tif 000019
【図１８】
2014178276.tif 000020
【図１９】
2014178276.tif 000021
【図２０】
2014178276.tif 000022
【図２１】
2014178276.tif 000023
【図２２】
2014178276.tif 000024
【図２３】
2014178276.tif 000025
【図２４】
2014178276.tif 000026
【図２５】
2014178276.tif 000027
【図２６】
2014178276.tif 000028
【図２７】
2014178276.tif 000029
【図２８】
2014178276.tif 000030